(57)【特許請求の範囲】
【請求項１】
ゲーム機本体の前面下方にコイン払出装置から払出されたコインを受け入れるコイン皿を有するコインゲーム機において、前記コイン皿の底壁に開口部を設け、該開口部の左右開口端に突出壁を垂設し、該突出壁に係合孔を設けると共に、該開口部を開閉する可動底板を設け、該可動底板の後端側を前記開口部の後端で枢支させ、枠部材を該可動底板の下面に取着し、該枠部材の前端に支持段部を設け、先端に前記係合孔に係合する係止片部が形成された一対の係止部材を枠部材内に左右に往復動可能に設け、一対の作動部材を該枠部材内に前後に往復動可能に設け、該作動部材をコイルばねにより前方に弾発付勢させて該作動部材の先端を前記支持段部の上部に突出させ、該作動部材と前記係止部材とを直交状に連繋させてなり、コイン貯留容器の先端上縁を作動部材の先端に当接させてコイルばねの付勢に抗して該コイン貯留容器を押し付け該作動部材を後退動させることで前記係止部材が互いに内側へ摺動し、係止片部が係合孔から離脱することで可動底板を下傾させて開口部を開放させ、該コイン貯留容器が支持段部に支持された状態でコイン皿に溜っているコインが該コイン貯留容器内に落下するようにしたことを特徴とするコインゲーム機のコイン皿。
【発明の詳細な説明】
【０００１】
【発明の属する技術分野】
本発明は、スロットマシンなどのようにコインが払い出されるコインゲーム機のコイン皿の改良に関するものである。
【０００２】
【従来の技術】
従来、この種のコインゲーム機のコイン皿はゲーム機本体の下部前面に設けられて、コイン払出装置から払い出されたコインを受け入れるようになっている。そしてコインが溜ったときやゲームを終えるときはコイン皿のコインを何回も指で掻き寄せて、コイン皿の前側壁を乗り越えさせてコイン貯留容器に移し替えている。このために、コイン皿はコインを取り出し易くするように周壁を低く、つまり浅く作られていてコインを収容できる容量が限られていた。
【０００３】
【発明が解決しようとする課題】
しかしながら、ゲームでいわゆる「大当たり」が発生して大量のコインが払い出されると忽ちコイン皿からコインが溢れ、ゲームを中断してコインを取り出さねばならないために著しくゲームの興趣を損なうことになる。また、貯ったコインをコイン貯留容器に移し替えるためにコイン皿から何回も掻き出さねばならず、その手間が大変面倒でしかも最近増えた女性客の爪が割れたり傷ついたりするという問題があった。
そこで本発明は、コイン皿からコインを一々手で掻き出してコイン貯留容器に移し替えることなく一気にコイン貯留容器に移し替えることができるコイン皿を提供することを目的としている。
【０００４】
【課題を解決するための手段】
本発明は上記目的を達成するために提案されたもので、ゲーム機本体の前面下方にコイン払出装置から払出されたコインを受け入れるコイン皿を有するコインゲーム機において、前記コイン皿の底壁に開口部を設け、該開口部の左右開口端に突出壁を垂設し、該突出壁に係合孔を設けると共に、該開口部を開閉する可動底板を設け、該可動底板の後端側を前記開口部の後端で枢支させ、枠部材を該可動底板の下面に取着し、該枠部材の前端に支持段部を設け、先端に前記係合孔に係合する係止片部が形成された一対の係止部材を枠部材内に左右に往復動可能に設け、一対の作動部材を該枠部材内に前後に往復動可能に設け、該作動部材をコイルばねにより前方に弾発付勢させて該作動部材の先端を前記支持段部の上部に突出させ、該作動部材と前記係止部材とを直交状に連繋させてなり、コイン貯留容器の先端上縁を作動部材の先端に当接させてコイルばねの付勢に抗して該コイン貯留容器を押し付け該作動部材を後退動させることで前記係止部材が互いに内側へ摺動し、係止片部が係合孔から離脱することで可動底板を下傾させて開口部を開放させ、該コイン貯留容器が支持段部に支持された状態でコイン皿に溜っているコインが該コイン貯留容器内に落下するようにしたことを特徴とする。
【０００８】
【発明の実施の形態】
以下に本発明に係わるコインゲーム機のコイン皿の実施の形態を図面と共に説明する。図１は本発明が適用されるスロットマシンの斜視図、図２は断面図でありる。ゲーム機本体１の前面には上部に３個のリール２，２，２が横並びに配列され、その下方にコイン投入口３とスタートレバー４及び３個のストップボタン５，５，５が配置される。そして、ゲーム機本体１の下部中央にコイン払出装置６から払出されたコインの払出口６ａが設けられ、このコイン払出口６ａの下方にコイン皿７が設けられる。
【０００９】
このスロットマシンは、コイン投入口３にコインを投入した後、スタートレバー４を操作して３個のリール２，２，２を回転させ、次いでストップボタン５，５，５を順次押してそれらに対応する前記リール２，２，２を停止させ、その際のリール２，２，２の各外周面に表示した図柄の組み合わせが一定の有効図柄の組み合わせになると所定枚数のコインをコイン払出装置６から払い出し、コイン皿７に受けるようになっている。
【００１０】
しかして、前記コイン皿７は合成樹脂製で、四方側壁８ａ〜８ｄと底壁９とで上面で開口した箱状に形成される。そして、前記底壁９に開口部１０を設けその左右両側を開口部１０に向かって傾斜する傾斜底壁９ａ，９ａとしている。
１１は前記開口部１０を開閉する可動底板であり、該可動底板１１には後側端の左右に支軸１２，１２を突設してこれらの支軸１２，１２を開口部１０の後側端両側に設けた係合凹部１３，１３に枢支させる。
【００１１】
前記可動底板１１の前側端にコイン皿７の前側壁８ａ前面に沿わせる立壁１４を立設し、該立壁１４の上端に前方へ水平に突出する支持枠１５を延設し、該支持枠１５の水平片部１５ａの下面に一対の軸部１６，１６を突設している。そして前記立壁１４の下部には複数のリブ１４ａで区画された開口窓１７を設ける。そして、これらのリブに１４ａ対向位置させて前記可動底板１１の上面前部寄りに、断面三角形でしかも前端に向けて次第に高くなる突畝１８，１８を突設し、コインの移し替えに際してコインを突畝１８，１８で振り分けさせ、リブ１４ａに当たることなく開口窓１７から落下させるようにしている。
【００１２】
１９は可動底板１１が開口部１０を閉塞した状態を保持させる係止部材で、水平片部１９ａと垂直片部１９ｂとで断面逆Ｌ字形状の板材で形成される。そして水平片部１９ａに前記軸部１６，１６を遊嵌させる長孔２０，２０を開設し、該水平片部１９ａをコイン皿７の前側壁８ａに水平に設けた係合溝２１に係合させる係止部１９ｃとしている。
【００１３】
２２は前記係止部材１９をガイドするガイド部材である。該ガイド部材２２は断面凵形をしており、一端に前記立壁１４と面一で開口窓１７の一部を塞ぐ垂下壁を設けている。そして、係止部材２２を嵌めて前記支持枠１５の軸部１６，１６に対してガイド部材２２の下面からそれぞれビス２３，２３を螺締して固定させる。
【００１４】
また係止部材１９の垂直片部１９ｂの前側面に短軸２４を突設して該短軸２４にコイルばね２５の一端側を遊嵌させる。該コイルばね２５の他端は支持枠１５の垂直片部１５ｂの内側面に設けた凹穴２６に遊嵌させ、該コイルばね２５の弾発付勢で係止部材１９の係止部１９ｃをコイン皿７の前側壁８ａに設けた係合溝２１に係合させ、図５実線で示すように可動底板１１で開口部１０を閉塞させる。
【００１５】
前記開口部１０の左右開口端に図３及び図５に示すように突出壁２７をそれぞれ垂設し、これらの突出壁２７，２７の内側面に可動底板１１を下傾させた状態を保持させる突条２８，２８を傾斜させて対設している。さらにコイン皿７の後側壁８ｃの下端に図６に示すように逆Ｌ字形の支持片２９を突設している。該支持片２９はコイン貯留容器Ａの上端縁の鍔部を支持するためのものである。
【００１６】
このように構成されるコイン皿７に溜ったコインＣを取り出すには、図６に示すようにコイン皿７の下方にコイン貯留容器Ａを配しその先端側の上端縁を支持片２９に支持させた状態で片手でコイン貯留容器Ａを支え、他方の手の指先Ｆで図４に示すように係止部材１９の垂直片部１９ｂをコイルばね２５の付勢に抗して前方へ引き寄せることにより、係止部材１９を実線位置から鎖線位置へ移動させて係止片１９ｃと係合溝２１との係合を解除し、可動底板１１が下傾して開口部１０を開放すると共に、突条２８，２８で支持されてコイン皿７に溜っているコインＣが可動底板１１上をすべりながら立壁１４の下部に設けた開口窓１６から転落し、コイン皿７のコインＣを一気にコイン貯留容器Ａに移し替えることができる。
このように、コインを移し替えた後可動底板１１を元に戻すには支持枠１５を上動させると係止部材１９の係止部１９ｃがコイルばね２５の付勢に抗して前側壁８ａで押されて後退し係合溝２１と合致する位置にくるとコイルばね２５の付勢により係止部１９ｃと係合溝２１が係合して可動底板１１が開口部１０を閉塞する。
【００１７】
次に可動底板１１の開放をコイン貯留容器Ａで行なう実施の形態を示す。この実施の形態で前記実施の形態に示したものと同じ構成の個所は同一の符号を付して重複する説明は省略する。３０は可動底板１１の下面にビス３１を介して取着させる枠部材であり、該枠部材３０の上面に囲い壁３２を立設している。そして枠部材３０の前端にコイン貯留容器Ａの上端縁を支持する支持段部３０ａを設け、前記囲い壁３２内で左右両側寄りに長方形をなす枠部３３，３３を一線上に対設して、これらの枠部３３，３３内に係止部材３４，３４を載置させる。これらの係止部材３４，３４には上面にピン３５，３５を立設し、先端に係止片部３４ａ，３４ａを形成している。
【００１８】
３６，３６は係止部材３４，３４上に直交させて係合させる作動部材であり、中央部に係止部材３４，３４の上面に立設したピン３５，３５を遊嵌させる長孔３７，３７を長手方向に対して斜め向きに開設し、先端３６ａ，３６ａをテーパ面とし、作動部材３６，３６の後端３６ｂ，３６ｂは枠部材３０の上面に設けた区画部３９，３９内に臨ませ、該区画部３９，３９に装填されるコイルばね４０，４０で前方に弾発付勢させ前記囲い壁３２の前壁３２ａに設けた切り欠き３８，３８から先方へ突出させる。そしてこれにともない長孔３７，３７に遊嵌されたピン３５，３５により係止部材３４，３４の係止片部３４ａ，３４ａも枠部材３０の外方へ突出する。
【００１９】
前記可動底板１１の下面には前記係止部材３４，３４及び作動部材３６，３６を往復動可能にガイドさせるガイド壁４１，４２がそれぞれ２条ずつ平行させて垂設される。また、前記突出壁２７，２７に係止部材３４，３４の係止片部３４ａ．３４ａを係止させる係合孔４３，４３を設けている。
【００２０】
この実施の形態では枠部材３０上で区画部３９，３９内に装填したコイルばね４０，４０の弾発付勢で係止部材３４，３４及び作動部材３６，３６がそれぞれ図９実線位置にあって、係止部材３４，３４先端の係止片部３４ａ，３４ａを突出壁２７，２７の係合孔４３，４３に係止させて可動底板１１で開口部１０を閉塞させている。
【００２１】
このように開口部１０を閉塞している可動底板１１を開放させるには図１１に示すようにコイン貯留容器Ａの先端上縁を作動部材３６，３６の前端３６ａ，３６ａに当接し、コイルばね４０，４０の付勢に抗してコイン貯留容器Ａを押し付けて支持段部３０ａに支持させると長孔３７，３７に遊嵌させているピン３５，３５が図１０に示すように互いに内側へ引き寄せられることで係止部材３４，３４を互いに内側へ摺動させ、係止片部３４ａ，３４ａを係合孔４３，４３から離脱させ、図１２に示すように可動底板１１を下傾させて開口部１０を開放させ、コイン皿７に溜っているコインを前側壁８ａ下端と可動底板１１との開口４４から転落させてコイン貯留容器Ａに一気に収容することができる。この際コイン貯留容器Ａの鍔部が支持段部３０ａに支持されているのでコインが一気にコイン貯留容器Ａ内に落下しても、コインをこぼすことなく楽にコイン貯留容器Ａを持つことができる。
【００２２】
また可動底板１１の上面を図１３に示すように凸部４５ａと凹部４５ｂとを交互に設けた凹凸面４５に形成することで可動底板１１の上面に接するコインＣの少なくとも一部が確実に浮き上がって指先Ｆが掛かり易く、コインＣが容易に掻き寄せることができる。
【００２３】
【発明の効果】
以上に述べたように本発明に係わるコインゲーム機のコイン皿は底壁に設けた開口部を開閉させる可動底板の後端側を枢支させると共に、可動底板の前端側を係止部材により係止して常に可動底板により開口部を閉塞させ、前記係止部材の係止を解除することで可動底板を下傾させて開口部を開放させるものであるから、コイン皿に溜ったコインを容易にしかも手を汚すことなく迅速にコイン貯留容器に移し替えることができる。さらに、このようにコインを底壁に設けた開口部から取り出すものであるから側壁を高く形成してもコインの取り出しに全く支障はなく、側壁を高くできることでコイン皿のコイン収容量を増加させることができ、コインの移し替えを頻繁に行なわなくてもよくなり、コインの移し替えの都度ゲームを中断して興趣を殺ぐことも解消することができる。
【００２４】
また、開閉部材の上面を凹凸面に形成することでコインが指先に掛かり易くなり、例えばゲーム中に残り少なくなったコインを取り出す際にも容易に掻き寄せて取り出すことができる。
【図面の簡単な説明】
【図１】  本発明が適用されるコインゲーム機の斜視図。
【図２】  図１の断面図。
【図３】  コイン皿の分解斜視図。
【図４】  コイン皿の平面断面図。
【図５】  開閉底を開放させる作用を説明するための縦断側面図。
【図６】  コインを移し替える状態の作用説明断面図。
【図７】  他の実施の形態を示すコイン皿の斜視図。
【図８】  他の実施の形態を示す分解斜視図。
【図９】  開閉底を開放させる作用を説明するための正面断面図。
【図１０】  同平面断面図。
【図１１】  開閉底を開放させる動作を示す縦断面側面図。
【図１２】  開閉底を開放させた状態の縦断面側面図。
【図１３】  可動底板上面を凹凸面にした正面断面図。
【符号の説明】
１                ゲーム機本体
６                コイン払出装置
７                コイン皿
９                底壁
１０              開口部
１１              可動底板
１２，１２        支軸
１３，１３        係合凹部
２７，２７        突出壁
３０              枠部材
３０ａ            支持段部
３４，３４        係止部材
３４ａ，３４ａ    係止片部
３５，３５        ピン
３６，３６        作動部材
３６ａ，３６ａ    作動部材の先端
３７，３７        長孔
３８，３８        切り欠き
４０，４０        コイルばね
４３，４３        係合孔
４５              凹凸面
Ａ                コイン貯留容器
【図１】
0004038254.tif 000002
【図２】
0004038254.tif 000003
【図３】
0004038254.tif 000004
【図４】
0004038254.tif 000005
【図５】
0004038254.tif 000006
【図６】
0004038254.tif 000007
【図７】
0004038254.tif 000008
【図８】
0004038254.tif 000009
【図９】
0004038254.tif 000010
【図１０】
0004038254.tif 000011
【図１１】
0004038254.tif 000012
【図１２】
0004038254.tif 000013
【図１３】
0004038254.tif 000014